(57)【要約】【課題】より利便性の高い通信システムを提供する。【解決手段】本発明の通信端末２０は、他の通信端末２０から着信があった場合に、発信元の通信端末２０からの映像および音声を、表示および再生すると共に、着信側の通信端末２０のユーザから応答操作を受け付けるまでは、当該ユーザの映像および音声を、発信元の通信端末２０へ送信しない。【選択図】図２
2007036883.tif 000002
【特許請求の範囲】
【請求項１】
ネットワークを介して通信を行う通信端末であって、
ユーザからの操作入力を受け付ける入力手段と、
前記入力手段を介して、ユーザから通信相手の通信端末の識別情報を受け付けた場合に、当該識別情報により定まる通信端末のアドレス宛に、ネットワークを介して通信路の確立要求を送信することにより、当該アドレスに対応する他の通信端末との間で通信路を確立し、
ネットワークを介して他の通信端末から通信路の確立要求を受信した場合に、当該通信路の確立要求を送信してきた他の通信端末との間で通信路を確立する通信路確立手段と、
前記通信路確立手段によって確立された通信路を介して、撮像装置から受け取った映像データを他の通信端末へ送信すると共に、他の通信端末から受け取った映像データを表示装置へ出力する映像データ送受信手段と、
前記通信路確立手段によって確立された通信路を介して、マイクから受け取った音声データを他の通信端末へ送信すると共に、他の通信端末から受け取った音声データを音声再生装置へ出力する音声データ送受信手段と、
ネットワークを介して他の通信端末から通信路の確立要求を受け取ることにより、前記通信路確立手段が当該他の通信端末との間で通信路を確立した場合に、前記映像データ送受信手段および前記音声データ送受信手段に指示して、当該他の通信端末からの映像データおよび音声データを、前記表示装置および前記音声再生装置へ出力させると共に、前記入力手段を介してユーザから応答操作を受け付けるまで、前記撮像装置からの映像データおよび前記マイクからの音声データを、当該他の通信端末へ送信させないデータ送信制御手段と
を備えることを特徴とする通信端末。
【請求項２】
請求項１に記載の通信端末であって、
通信端末のアドレスを、当該通信端末の識別情報に対応付けて予め格納しているアドレス格納手段をさらに備え、
前記通信路確立手段は、
前記入力手段を介して、ユーザから、通信相手の通信端末の識別情報を受け付けた場合に、受け付けた識別情報に対応する通信端末のアドレスを、前記アドレス格納手段から抽出し、抽出した通信端末のアドレス宛に、ネットワークを介して通信路の確立要求を送信すること
を特徴とする通信端末。
【請求項３】
請求項１または２に記載の通信端末であって、
前記映像データ送受信手段および前記音声データ送受信手段は、それぞれ、ＲＴＰ（Ｒｅａｌ−ｔｉｍｅ  Ｔｒａｎｓｐｏｒｔ  Ｐｒｏｔｏｃｏｌ）を用いて、映像データおよび音声データを、ネットワークを介して送受信すること
を特徴とする通信端末。
【請求項４】
ネットワークを介して通信を行う通信端末を制御するプログラムであって、
前記通信端末を、
ユーザからの操作入力を受け付ける入力機能、
前記入力機能を介して、ユーザから通信相手の通信端末の識別情報を受け付けた場合に、当該識別情報により定まる通信端末のアドレス宛に、ネットワークを介して通信路の確立要求を送信することにより、当該アドレスに対応する他の通信端末との間で通信路を確立し、
ネットワークを介して他の通信端末から通信路の確立要求を受信した場合に、当該通信路の確立要求を送信してきた他の通信端末との間で通信路を確立する通信路確立機能、
前記通信路確立機能によって確立された通信路を介して、撮像装置から受け取った映像データを他の通信端末へ送信すると共に、他の通信端末から受け取った映像データを表示装置へ出力する映像データ送受信機能、
前記通信路確立機能によって確立された通信路を介して、マイクから受け取った音声データを他の通信端末へ送信すると共に、他の通信端末から受け取った音声データを音声再生装置へ出力する音声データ送受信機能、および
ネットワークを介して他の通信端末から通信路の確立要求を受け取ることにより、前記通信路確立機能が当該他の通信端末との間で通信路を確立した場合に、前記映像データ送受信機能および前記音声データ送受信機能に指示して、当該他の通信端末からの映像データおよび音声データを、前記表示装置および前記音声再生装置へ出力させると共に、前記入力機能を介してユーザから応答操作を受け付けるまで、前記撮像装置からの映像データおよび前記マイクからの音声データを、当該他の通信端末へ送信させないデータ送信制御機能
として動作させることを特徴とするプログラム。
【発明の詳細な説明】
【技術分野】
【０００１】
本発明は、ネットワークを介して通信を行う通信端末に関する。
【背景技術】
【０００２】
近年のインターネットやイントラネット等のＩＰネットワークの発展により、ネットワークを介した様々なコミュニケーション手段が提案されている。その中で、これまでの電子メールシステムによるメッセージのやりとりを、より簡素化させた手法として、インスタントメッセージングシステム（以下「ＩＭシステム」と記載）と呼ばれるものがある（例えば、非特許文献１参照）。ＩＭシステムは、同一ネットワーク内であれば、端末間で、サーバを介することなく、文字や小さな画像等を送受信することができる。また、ネットワークが異なる場合であっても、ＩＭシステムは、通信相手の端末をグローバルＩＰアドレスで指定することにより、データを送受信することができる。
【０００３】
一方、ネットワーク関連機器の性能向上により、ＩＰネットワーク上で音声や映像を用いたリアルタイム通信が実現できるようになった。例えば、ＩＰ電話に代表されるＶｏＩＰ（Ｖｏｉｃｅ  ｏｖｅｒ  ＩＰ）技術や、ＴＶ電話、ＴＶ会議システム等がある（例えば、特許文献２参照）。これらの通信技術では、コンピュータ同士が１対１で互いに情報をやり取りするＰ２Ｐ（Ｐｅｅｒ  ｔｏ  Ｐｅｅｒ）という通信形態によって、音声や映像等の情報がリアルタイムに送受信される場合がある。
【０００４】
【非特許文献１】日経NETWORK、日経BP社、2004年1月22日、第46号、p.54−67
【特許文献１】特許第３４３６４７１号公報
【発明の開示】
【発明が解決しようとする課題】
【０００５】
ところで、電話通信においては、発信者側の電話番号を着信者側に通知するサービスが知られている。しかし、会社等のように、少数の外線電話番号が複数の電話機で共有されている電話システムにおいては、当該電話システム内の電話機から着信があった場合に、代表番号が通知されるものの、実際にどの人が電話をかけているかを知ることはできなかった。
【０００６】
本発明は上記事情を鑑みてなされたものであり、本発明の目的は、より利便性の高い通信システムを提供することにある。
【課題を解決するための手段】
【０００７】
上記課題を解決するために、本発明の通信端末は、他の通信端末から着信があった場合に、発信元の通信端末からの映像および音声を、表示および再生すると共に、着信側の通信端末のユーザから応答操作を受け付けるまでは、当該ユーザの映像および音声を、発信元の通信端末へ送信しない。
【０００８】
例えば、本発明は、ネットワークを介して通信を行う通信端末であって、ユーザからの操作入力を受け付ける入力手段と、入力手段を介して、ユーザから通信相手の通信端末の識別情報を受け付けた場合に、当該識別情報により定まる通信端末のアドレス宛に、ネットワークを介して通信路の確立要求を送信することにより、当該アドレスに対応する他の通信端末との間で通信路を確立し、ネットワークを介して他の通信端末から通信路の確立要求を受信した場合に、当該通信路の確立要求を送信してきた他の通信端末との間で通信路を確立する通信路確立手段と、通信路確立手段によって確立された通信路を介して、撮像装置から受け取った映像データを他の通信端末へ送信すると共に、他の通信端末から受け取った映像データを表示装置へ出力する映像データ送受信手段と、通信路確立手段によって確立された通信路を介して、マイクから受け取った音声データを他の通信端末へ送信すると共に、他の通信端末から受け取った音声データを音声再生装置へ出力する音声データ送受信手段と、ネットワークを介して他の通信端末から通信路の確立要求を受け取ることにより、通信路確立手段が当該他の通信端末との間で通信路を確立した場合に、映像データ送受信手段および音声データ送受信手段に指示して、当該他の通信端末からの映像データおよび音声データを、表示装置および音声再生装置へ出力させると共に、入力手段を介してユーザから応答操作を受け付けるまで、撮像装置からの映像データおよびマイクからの音声データを、当該他の通信端末へ送信させないデータ送信制御手段とを備えることを特徴とする通信端末を提供する。
【発明の効果】
【０００９】
本発明の通信端末によれば、より利便性の高い通信システムを提供することができる。
【発明を実施するための最良の形態】
【００１０】
以下に、本発明の実施の形態について、図面を参照しながら説明する。
【００１１】
図１は、本発明の一実施形態に係る通信システム１０の構成を示す。通信システム１０は、複数の通信端末２０を備える。それぞれの通信端末２０は、インターネットやイントラネット等のネットワーク１１を介して互いに通信する。
【００１２】
それぞれの通信端末２０には、ネットワーク１１上で重複しないアドレスが割り当てられており、それぞれの通信端末２０は、当該アドレスを用いて通信相手の通信端末２０を特定し、特定した通信端末２０と通信を行う。本実施形態において、それぞれの通信端末２０は、映像および音声を互いにリアルタイム性を保ちながら送受信する。また、他の形態として、それぞれの通信端末２０は、リアルタイム性を保ちながら、音声のみを互いに送受信してもよい。
【００１３】
図２は、通信端末２０の詳細な機能構成の一例を示す。通信端末２０は、キーボード２１、マウス２２、カメラ２３、マイク２４、モニタ２５、スピーカ２６、および端末本体２００を備える。
【００１４】
キーボード２１およびマウス２２は、通信端末２０のユーザから受け付けた操作入力を、電気信号に変換して端末本体２００に供給する。カメラ２３は、ＣＣＤ（Ｃｈａｒｇｅ−Ｃｏｕｐｌｅｄ  Ｄｅｖｉｃｅｓ）やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）センサ等であり、例えば通信端末２０のユーザの映像を撮像し、撮像した映像を電気信号に変換して端末本体２００に供給する。マイク２４は、例えば通信端末２０のユーザの音声を電気信号に変換して端末本体２００に供給する。
【００１５】
モニタ２５は、ＬＣＤ（Ｌｉｑｕｉｄ  Ｃｒｙｓｔａｌ  Ｄｉｓｐｌａｙ）やＣＲＴ（Ｃａｔｈｏｄｅ  Ｒａｙ  Ｔｕｂｅ）等であり、端末本体２００から受け取った映像データに基づいて映像を表示する。スピーカ２６は、端末本体２００から受け取った音声データに基づいて音声を再生する。
【００１６】
端末本体２００は、アドレス格納部２０１、通信路制御部２０２、データ送信制御部２０３、およびデータ送受信部２０４を備える。本例において、端末本体２００が備えるそれぞれの機能ブロックは、ソフトウェアとして実現されている。
【００１７】
アドレス格納部２０１は、通信端末２０のアドレスを、当該通信端末２０の識別情報に対応付けて予め格納している。通信端末２０のアドレスとは、例えばグローバルＩＰアドレス等のように、ネットワーク１１上で通信相手の通信端末２０を一意に特定することができる識別情報である。
【００１８】
通信路制御部２０２は、キーボード２１またはマウス２２を介して、通信端末２０のユーザから、通信相手の通信端末２０の識別情報を受け付けた場合、受け付けた識別情報に対応する通信端末２０のアドレスを、アドレス格納部２０１から抽出する。そして、通信路制御部２０２は、抽出したアドレス宛に、ネットワーク１１を介して通信路の確立要求を送信することにより、当該アドレスに対応する他の通信端末２０との間で通信路を確立する。
【００１９】
また、通信路制御部２０２は、ネットワーク１１を介して他の通信端末２０から通信路の確立要求を受信した場合、当該通信路の確立要求を送信してきた他の通信端末２０との間で通信路を確立する。ここで、通信路制御部２０２は、例えばＳＩＰに規定されるプロトコルを用いて、他の通信端末２０の通信路制御部２０２との間で制御情報をやり取りすることによって、他の通信端末２０の通信路制御部２０２との間にＲＴＰ（Ｒｅａｌ−ｔｉｍｅ  Ｔｒａｎｓｐｏｒｔ  Ｐｒｏｔｏｃｏｌ）を用いた通信路を確立する。このとき、通信路制御部２０２は、サーバを介さずに、他の通信端末２０の通信路制御部２０２との間で制御情報をやり取りして通信路を確立することも可能となる。これにより、それぞれの通信端末２０は、通信を行う際のコストを低く抑えることができる。
【００２０】
データ送受信部２０４は、通信路制御部２０２によって確立された通信路を介して、カメラ２３から受け取った映像データを他の通信端末２０へ送信すると共に、他の通信端末２０から受け取った映像データをモニタ２５へ出力する。また、データ送受信部２０４は、通信路制御部２０２によって確立された通信路を介して、マイク２４から受け取った音声データを他の通信端末２０へ送信すると共に、他の通信端末２０から受け取った音声データをスピーカ２６へ出力する。
【００２１】
データ送信制御部２０３は、ネットワーク１１を介して他の通信端末２０から通信路の確立要求を受け取ることにより、通信路制御部２０２が当該他の通信端末２０との間で通信路を確立した場合、すなわち、他の通信端末２０からの着信により通信路を確立した場合、データ送受信部２０４に指示して、当該他の通信端末２０からの映像データおよび音声データを、モニタ２５およびスピーカ２６へ出力させる。このとき、データ送信制御部２０３は、当該着信に応答する旨の操作をキーボード２１またはマウス２２を介してユーザから受け付けるまで、カメラ２３からの映像データおよびマイク２４からの音声データを、当該他の通信端末２０へ送信させない。
【００２２】
これにより、着信があった場合に、着信側のユーザは、当該着信に応答する前に、即座に発信側の情報を取得することができる。これにより、着信側のユーザは、応答する前に、当該着信への応答の内容を検討することができる。また、例えば、着信側の通信端末２０の近傍にいながら、何らかの事情で着信に応答できない場合であっても、着信側の通信端末２０のユーザは、発信側の通信端末２０からの映像および音声の内容を取得することができる。このように、本実施形態の通信端末２０は、利便性の高い通信環境をユーザに提供することができる。
【００２３】
図３は、アドレス格納部２０１に格納されるデータの構造の一例を示す。アドレス格納部２０１は、ネットワーク１１上で通信相手の通信端末２０を一意に特定することができるＩＰアドレス２０１１を、端末識別情報２０１０に対応付けて予め格納している。
【００２４】
アドレス格納部２０１を参照することにより、通信路制御部２０２は、キーボード２１またはマウス２２を介して通信端末２０のユーザから入力された識別情報に対応するアドレスを抽出することができる。
【００２５】
図４は、モニタ２５に表示される画面３０の表示例を示す。画面３０には、受信用ウインドウ３１０および発信用ウインドウ３２０が表示される。
【００２６】
受信用ウインドウ３１０は、終了ボタン３１１、受信映像表示領域３１２、閉じるボタン３１３、および返信ボタン３１４を有する。終了ボタン３１１および閉じるボタン３１３は、例えばマウス２２を介してクリックされることにより、受信用ウインドウ３１０を終了させる。
【００２７】
受信映像表示領域３１２は、他の通信端末２０からの映像を表示する。着信があった場合、発信元の他の通信端末２０との間の通信路が確立された後、受信映像表示領域３１２には、即座に発信側の他の通信端末２０からの映像が表示される。一方、発信を行う場合、着信側の他の通信端末２０との間の通信路が確立された後、着信側の他の通信端末２０のユーザによる応答操作が行われるまでは、着信側の他の通信端末２０からの映像は、受信映像表示領域３１２には表示されない。そして、着信側の他の通信端末２０のユーザによる応答操作が行われた後に、着信側の他の通信端末２０からの映像は、受信映像表示領域３１２に表示される。
【００２８】
返信ボタン３１４は、他の通信端末２０から着信があった場合に、例えばマウス２２を介してクリックされることにより、着信側の映像および音声を、発信側の他の通信端末２０へ送信する。
【００２９】
発信用ウインドウ３２０は、終了ボタン３２１、送信映像表示領域３２２、識別情報入力領域３２３、および発信ボタン３２４を有する。終了ボタン３２１は、例えばマウス２２を介してクリックされることにより、発信用ウインドウ３２０を終了させる。
【００３０】
送信映像表示領域３２２は、他の通信端末２０へ送信する映像を表示する。着信があった場合、受信用ウインドウ３１０の返信ボタン３１４がクリックされることにより、他の通信端末２０へ送信される映像が送信映像表示領域３２２に表示される。また、発信を行う場合、他の通信端末２０へ送信される映像が送信映像表示領域３２２に表示され、着信先の他の通信端末２０との間の通信路が確立された後に、送信映像表示領域３２２に表示された映像が当該他の通信端末２０へ送信される。
【００３１】
識別情報入力領域３２３は、発信を行う場合に、通信相手の通信端末２０の識別情報が入力される領域である。通信路制御部２０２は、識別情報入力領域３２３に通信相手の通信端末２０の識別情報が入力された後に、発信ボタン３２４がクリックされることによって、識別情報入力領域３２３に入力された識別情報に対応する通信端末２０との間で通信路の確立を開始する。
【００３２】
図５は、通信端末２０の動作の一例を示すシーケンス図である。本シーケンスに先立って、それぞれの通信端末２０は、本実施形態の通信処理を行うためのソフトウェアを起動しているものとする。
【００３３】
まず、発信側の通信端末２０−１の通信路制御部２０２は、識別情報入力領域３２３を介してユーザから、通信相手の通信端末２０の識別情報を受け付ける（Ｓ１００）。そして、通信路制御部２０２は、アドレス格納部２０１を参照して、通信相手の通信端末２０のアドレスを抽出する（Ｓ１０１）。なお、ステップ１０１において、ステップ１００で入力された識別情報に対応するアドレスがアドレス格納部２０１内に存在しない場合、通信路制御部２０２は、モニタ２５を介してその旨をユーザに通知してもよい。
【００３４】
次に、通信路制御部２０２は、抽出したアドレスに対して、ネットワーク１１を介して通信路の確立要求を送信することにより、通信端末２０−２の通信路制御部２０２との間で通信路を確立する通信路確立処理を行う（Ｓ１０２）。ステップ１０２では、通信端末２０−１と通信端末２０−２とは、例えばＳＩＰに規定されるプロトコルに従って、通信路の確立処理を行う。
【００３５】
具体的には、発信側の通信路制御部２０２が、着信側の通信路制御部２０２へＩＮＶＩＴＥリクエストを送信する。そして、着信側の通信路制御部２０２が、発信側の通信路制御部２０２へ２００ＯＫレスポンスを返信する。そして、発信側の通信路制御部２０２が、着信側の通信路制御部２０２へＡＣＫリクエストを送信することにより、発信側の通信路制御部２０２と着信側の通信路制御部２０２との間の通信路が確立される。なお、ステップ１０２において、通信路を確立することができなかった場合、通信路制御部２０２は、モニタ２５を介してその旨をユーザに通知してもよい。
【００３６】
次に、着信側の通信端末２０−２の通信路制御部２０２は、通信路が確立されたことをデータ送受信部２０４に通知する。そして、データ送受信部２０４は、スピーカ２６に着信音を出力したり、受信用ウインドウ３１０が画面３０に表示されていない場合に受信用ウインドウ３１０を画面３０に表示したりする着信処理を行う（Ｓ１０３）。
【００３７】
次に、発信側のデータ送受信部２０４は、カメラ２３からの映像データおよびマイク２４からの音声データを、ステップ１０２において確立された通信路を介して、着信先の通信端末２０−２へ送信する（Ｓ１０４）。そして、着信先のデータ送受信部２０４は、着信先の通信路制御部２０２を介して発信元の通信端末２０−１から受け取った映像データおよび音声データを、モニタ２５およびスピーカ２６に、それぞれ表示および再生させる（Ｓ１０５）。
【００３８】
次に、着信側のデータ送信制御部２０３は、キーボード２１またはマウス２２を介してユーザから応答操作を受け付け（Ｓ１０６）、着信側のデータ送受信部２０４に指示して、カメラ２３からの映像データおよびマイク２４からの音声データを、ステップ１０２において確立された通信路を介して、発信元の通信端末２０−１へ送信させる（Ｓ１０７）。
【００３９】
次に、発信元の通信路制御部２０２は、キーボード２１またはマウス２２を介してユーザから通信の終了操作を受け付け、データ送受信部２０４に指示して、受信用ウインドウ３１０および発信用ウインドウ３２０を閉じる等の終了処理を行わせる（Ｓ１０８）。そして、発信元の通信路制御部２０２は、着信先の通信路制御部２０２との間で通信路の切断処理を実行する（Ｓ１０９）。ステップ１０９では、例えば、発信側の通信路制御部２０２が、着信側の通信路制御部２０２へＢＹＥクエストを送信し、着信側の通信路制御部２０２が、発信側の通信路制御部２０２へ２００ＯＫレスポンスを返信することにより、発信側の通信路制御部２０２と着信側の通信路制御部２０２との間の通信路を切断する。
【００４０】
そして、着信先の通信路制御部２０２は、データ送受信部２０４に指示して、受信用ウインドウ３１０および発信用ウインドウ３２０を閉じる等の終了処理を行わせる（Ｓ１１０）。
【００４１】
なお、本シーケンス図では、発信元の通信端末２０−１から通信路の切断処理が実行されたが、着信先の通信端末２０−２から通信路の切断処理が実行されてもよい。また、ステップ１０６において、３分等の所定時間経過した場合や、ステップ１０５において表示された受信用ウインドウ３１０が、終了ボタン３１１または閉じるボタン３１３をクリックされることにより終了させられた場合等に、通信端末２０−２は、通信路の切断処理を開始してもよい。
【００４２】
図６は、通信端末２０のハードウェア構成の一例を示す。通信端末２０は、ＣＰＵ２１０、ＲＡＭ２１１、ＲＯＭ２１２、通信インターフェイス２１３、入出力インターフェイス２１４、およびメディアインターフェイス２１５を備える。ＣＰＵ２１０は、ＲＡＭ２１１およびＲＯＭ２１２に格納されたプログラムに基づいて動作し、各部の制御を行う。ＲＯＭ２１２は、通信端末２０の起動時にＣＰＵ２１０が実行するブートプログラムや、通信端末２０のハードウェアに依存するプログラム等を格納する。
【００４３】
ＲＡＭ２１１は、ＣＰＵ２１０が実行するプログラムおよびＣＰＵ２１０が使用するデータ等を格納する。通信インターフェイス２１３は、ネットワーク１１を介して他の通信端末２０からデータを受信してＣＰＵ２１０へ送ると共に、ＣＰＵ２１０が生成したデータをネットワーク１１を介して他の通信端末２０へ送信する。
【００４４】
ＣＰＵ２１０は、入出力インターフェイス２１４を介して、キーボード２１、マウス２２、カメラ２３、マイク２４、モニタ２５、およびスピーカ２６を制御する。ＣＰＵ２１０は、入出力インターフェイス２１４を介して、キーボード２１、マウス２２、カメラ２３、およびマイク２４からデータを取得する。また、ＣＰＵ２１０は、生成したデータを、入出力インターフェイス２１４を介して、モニタ２５およびスピーカ２６へ出力する。
【００４５】
メディアインターフェイス２１５は、記録媒体２１６に格納されたプログラムまたはデータを読み取り、ＲＡＭ２１１に提供する。ＲＡＭ２１１を介してＣＰＵ２１０に提供されるプログラムは、記録媒体２１６に格納されている。当該プログラムは、記録媒体２１６から読み出され、ＲＡＭ２１１を介して通信端末２０にインストールされ、ＣＰＵ２１０によって実行される。通信端末２０にインストールされて実行されるプログラムは、通信端末２０を、アドレス格納部２０１、通信路制御部２０２、データ送信制御部２０３、およびデータ送受信部２０４としてそれぞれ機能させる。
【００４６】
記録媒体２１６は、例えばＤＶＤ、ＰＤ等の光学記録媒体、ＭＯ等の光磁気記録媒体、テープ媒体、磁気記録媒体、または半導体記録装置等であってよい。通信端末２０は、これらのプログラムを、記録媒体２１６から読み取って実行するが、他の例として、例えばネットワーク１１を介して、これらのプログラムを取得してもよい。
【００４７】
以上、本発明の実施の形態について説明した。
【００４８】
上記説明から明らかなように、本発明の通信端末２０によれば、より利便性の高い通信システムを提供することができる。
【００４９】
なお、本発明は上記の実施形態に限定されるものではなく、その要旨の範囲内で数々の変形が可能である。
【００５０】
例えば、通信路制御部２０２は、識別情報入力領域３２３に入力された識別情報に基づいて、通信相手の通信端末２０のアドレスをアドレス格納部２０１から抽出したが、他の形態として、通信端末２０は、アドレス格納部２０１を有さず、識別情報入力領域３２３を介して通信相手の通信端末２０のアドレスを受け付け、受け付けたアドレスの通信端末２０と通信を開始するようにしてもよい。
【００５１】
また、本実施形態では、１対１の通信を例に説明したが、本発明はこれに限られず、１つの通信端末２０と複数の通信端末２０とが１対多の通信を行う場合においても、本発明を適用することができる。１対多の通信を開始するには、例えば、識別情報入力領域３２３に複数の通信相手の通信端末２０の識別情報が入力され、通信路制御部２０２は、入力されたそれぞれの識別情報に対応するアドレスをアドレス格納部２０１から抽出する。そして、通信路制御部２０２は、それぞれのアドレスに対応する通信端末２０との間で、それぞれ通信路を確立する。
【００５２】
この場合、発信側の通信端末２０は、同一の映像および音声を、それぞれの通信端末２０へ送信する。また、発信側の通信端末２０は、受信用ウインドウ３１０を複数起動し、複数の着信側の通信端末２０から送られてきた映像を、それぞれの受信用ウインドウ３１０において表示し、複数の着信側の通信端末２０から送られてきた音声を１つのスピーカ２６でミキシングして再生する。
【図面の簡単な説明】
【００５３】
【図１】本発明の一実施形態に係る通信システム１０の構成を示す。
【図２】通信端末２０の詳細な機能構成の一例を示す。
【図３】アドレス格納部２０１に格納されるデータの構造の一例を示す。
【図４】モニタ２５に表示される画面３０の表示例を示す。
【図５】通信端末２０の動作の一例を示すシーケンス図である。
【図６】通信端末２０のハードウェア構成の一例を示す。
【符号の説明】
【００５４】
１０・・・通信システム、１１・・・ネットワーク、２０・・・通信端末、２００・・・端末本体、２０１・・・アドレス格納部、２０１０・・・端末識別情報、２０１１・・・ＩＰアドレス、２０２・・・通信路制御部、２０３・・・データ送信制御部、２０４・・・データ送受信部、２１０・・・ＣＰＵ、２１１・・・ＲＡＭ、２１２・・・ＲＯＭ、２１３・・・通信インターフェイス、２１４・・・入出力インターフェイス、２１５・・・メディアインターフェイス、２１６・・・記録媒体、２１・・・キーボード、２２・・・マウス、２３・・・カメラ、２４・・・マイク、２５・・・モニタ、２６・・・スピーカ、３０・・・画面、３１０・・・受信用ウインドウ、３１１、３２１・・・終了ボタン、３１２・・・受信映像表示領域、３１３・・・閉じるボタン、３１４・・・返信ボタン、３２０・・・発信用ウインドウ、３２２・・・送信映像表示領域、３２３・・・識別情報入力領域、３２４・・・発信ボタン
【図１】
2007036883.tif 000003
【図２】
2007036883.tif 000004
【図３】
2007036883.tif 000005
【図４】
2007036883.tif 000006
【図５】
2007036883.tif 000007
【図６】
2007036883.tif 000008